(57)【要約】  【課題】  食器が比較的少量の場合の洗い時間及び水量を低減できるようにする。  【解決手段】  食器が収容される洗浄槽２と、該洗浄槽２内の底側に並置される回転自在の第１及び第２のノズル４，５と、洗浄槽２内の後側に固定される第３のノズル（６）とを備えており、第１のノズル４から噴射する噴射時間を、第２及び第３のノズル５，（６）から噴射する噴射時間よりも長くし、食器が比較的少量の場合、第１のノズル４側に食器を収容することにより、第１のノズル４から噴射する水により食器を洗うようにした。【選択図】        図１
2006061412.tif 000002
【特許請求の範囲】
【請求項１】
食器が収容される洗浄槽内に複数のノズルを備えた食器洗い乾燥機において、一のノズルから水を噴射する噴射時間を、他のノズルから噴射する噴射時間よりも長くしてあることを特徴とする食器洗い機。
【請求項２】
食器が収容される洗浄槽内に複数のノズルを備え、洗い過程及びすすぎ過程で前記ノズルから水を噴射する食器洗い機において、前記洗い過程及び／又はすすぎ過程において一のノズルから噴射する噴射時間を、他のノズルから噴射する噴射時間よりも長くしてあることを特徴とする食器洗い機。
【請求項３】
前記ノズルに加圧水を供給するポンプと、該ポンプ及び各ノズルに連通する連通路を開閉する開閉弁と、該開閉弁が前記連通路を開いている時間を制御する制御部とを有する請求項１又は２記載の食器洗い機。
【請求項４】
前記制御部は、前記一のノズルに連通する連通路を前記開閉弁が開とする時間を長時間とし、前記他のノズルに連通する連通路を前記開閉弁が開とする時間を短時間とした後、前記一のノズルに連通する連通路を前記開閉弁が開とする時間を長時間とするように設定されている請求項３記載の食器洗い機。
【請求項５】
前記ノズルは前記洗浄槽内の底側に並置される回転自在の第１及び第２のノズルと、前記洗浄槽内の後側に固定される第３のノズルとを有しており、前記第１又は第２のノズルが前記一のノズルである請求項１乃至４のいずれかひとつに記載の食器洗い機。
【発明の詳細な説明】
【技術分野】
【０００１】
本発明は洗浄槽内の複数の位置にノズルが配された食器洗い機に関する。
【背景技術】
【０００２】
食器洗い機は、洗浄槽内の底側に回転が可能なノズルを配し、該ノズルから噴射する水により、洗浄槽内に収容された食器を洗浄するように構成されている（例えば、特許文献１。）
また、洗浄槽内の底側に回転が可能な複数のノズルを並置することにより、ノズルの回転半径を短くし、洗浄槽を小形化、ひいては食器洗い機全体を小形化するように構成された食器洗い機も知られている。
【０００３】
また、このように複数のノズルを備える食器洗い機は、ポンプに連通連結され、前記ポンプが発生した加圧水を各ノズルに分配して等時間ずつ供給する回転式の分配弁を備えている。
【特許文献１】実開平７−１６３５０２号公報
【発明の開示】
【発明が解決しようとする課題】
【０００４】
ところが、複数のノズルを備える従来の食器洗い機にあっては、複数の位置に配されたノズルから噴射する噴射時間は、洗浄槽内に収容される食器量の多少に関係なくそれぞれ等しくなっているため、食器が比較的少量の場合は、食器洗いが終わっている後においても全てのノズルから水が噴射されることになり、噴射時間及び水量が無駄となり、改善策が要望されていた。即ち、食器が比較的多量の場合はノズルから噴射された噴射水が各食器の全面に当り難く、食器に付着している汚れが落ち難いため、食器が比較的多量の場合に必要とする噴射時間に設定されており、従って、食器が比較的少量の場合は、上記したように噴射時間及び噴射水量が無駄となる。
【０００５】
本発明は斯かる事情に鑑みてなされたものであり、主たる目的は一のノズルから噴射する噴射時間を、他のノズルから噴射する噴射時間よりも長くすることにより、食器が比較的少量の場合の噴射時間を短縮、及び噴射水量を低減できる食器洗い機を提供することにある。
【０００６】
また、他の目的は洗い過程及び／又はすすぎ過程において一のノズルから噴射する噴射時間を、他のノズルから噴射する噴射時間よりも長くすることにより、洗い過程及び／又はすすぎ過程において食器が比較的少量の場合の噴射時間を短縮、及び噴射水量を低減できる食器洗い機を提供することにある。
【０００７】
また、他の目的はポンプ及び各ノズルに連通する連通路を開閉する開閉弁と、該開閉弁が前記連通路を開いている時間を制御する制御部とを備える構成とすることにより、構造を複雑にすることなく簡易に採用することができる食器洗い機を提供することにある。
【０００８】
また、他の目的は一のノズルに連通する連通路を開閉弁が開とする時間を長時間とし、他のノズルに連通する連通路を開閉弁が開とする時間を短時間とした後、一のノズルに連通する連通路を開閉弁が開とする時間を長時間とするように設定された制御部を備えることにより、少ない噴射水量で洗浄槽内を清潔に保つことができる食器洗い機を提供することにある。
【０００９】
また、他の目的は洗浄槽内の底側に並置される回転自在の第１及び第２のノズルと、洗浄槽内の後側に固定される第３のノズルとを備え、第１又は第２のノズルを、一のノズルとすることにより、食器が比較的少量の場合の噴射時間を短縮、及び噴射水量を低減でき、さらに、少ない噴射水量で洗浄槽内を清潔に保つことができる食器洗い機を提供することにある。
【課題を解決するための手段】
【００１０】
本発明に係る食器洗い機は、食器が収容される洗浄槽内に複数のノズルを備えた食器洗い機において、一のノズルから水を噴射する噴射時間を、他のノズルから噴射する噴射時間よりも長くしてあることを特徴とする。
【００１１】
この発明にあっては、一のノズルから噴射する噴射時間が、他のノズルから噴射する噴射時間よりも長いため、食器が比較的少量の場合、一のノズル側に食器を収容することにより、一のノズルから噴射する噴射水により食器を洗うことができ、噴射時間を短縮、及び噴射水量を低減できる。
【００１２】
また、本発明に係る食器洗い機は、食器が収容される洗浄槽内に複数のノズルを備え、洗い過程及びすすぎ過程で前記ノズルから水を噴射する食器洗い機において、前記洗い過程及び／又はすすぎ過程において一のノズルから噴射する噴射時間を、他のノズルから噴射する噴射時間よりも長くしてあることを特徴とする。
【００１３】
この発明にあっては、洗い過程及び／又はすすぎ過程において一のノズルから噴射する噴射時間が、他のノズルから噴射する噴射時間よりも長いため、食器が比較的少量の場合、一のノズル側に食器を収容することにより、洗い過程及び／又はすすぎ過程において一のノズルから噴射する噴射水により食器を洗うことができ、噴射時間を短縮、及び噴射水量を低減できる。
【００１４】
また、本発明に係る食器洗い機は、前記ノズルに加圧水を供給するポンプと、該ポンプ及び各ノズルに連通する連通路を開閉する開閉弁と、該開閉弁が前記連通路を開いている時間を制御する制御部とを有することを特徴とする。
【００１５】
この発明にあっては、開閉弁が連通路を開いている時間を制御することにより一のノズルから噴射する噴射時間を、他のノズルから噴射する噴射時間よりも長くすることができるため、構造を複雑にすることなく簡易に採用することができる。
【００１６】
また、本発明に係る食器洗い機は、前記制御部は、前記一のノズルに連通する連通路を前記開閉弁が開とする時間を長時間とし、前記他のノズルに連通する連通路を前記開閉弁が開とする時間を短時間とした後、前記一のノズルに連通する連通路を前記開閉弁が開とする時間を長時間とするように設定されていることを特徴とする。
【００１７】
この発明にあっては、一のノズルに連通する連通路を長時間にわたって開とし、一のノズルから長時間にわたって噴射しつつ食器を洗う。この一のノズルによる洗いを途中で中断して短時間だけ他のノズルに連通する連通路を開とし、他のノズルから短時間だけ噴射するため、一のノズルから噴射する噴射水により飛び散った汚れ、洗剤等が乾いて落ち難くならないときに前記飛び散った汚れ、洗剤等を他のノズルから噴射する少水量の噴射水により洗い流すことができる。このため、食器が比較的少量の場合、一のノズル側に食器を収容することにより、一のノズルにより集中的に食器を洗うことができ、しかも、一のノズルによる食器洗いが終わった後で洗浄槽内を洗う場合に比べて少ない噴射水量で洗浄槽内を清潔に保つことができる。
【００１８】
また、本発明に係る食器洗い機は、前記ノズルは前記洗浄槽内の底側に並置される回転自在の第１及び第２のノズルと、前記洗浄槽内の後側に固定される第３のノズルとを有しており、前記第１又は第２のノズルが前記一のノズルであることを特徴とする。
【００１９】
この発明にあっては、回転自在の第１又は第２のノズルから長時間噴射することができるため、比較的少量の食器を第１又は第２のノズル側に収容することにより、短い噴射時間及び少ない水量で食器を洗うことができ、また、第１又は第２のノズルと洗浄槽内の後側に固定される第３のノズルから短時間噴射することができるため、第１又は第２のノズルから噴射する噴射水により飛び散った汚れ、洗剤等を、第１又は第２のノズルと第３のノズルとから噴射する噴射水により洗い流すことができ、少ない噴射水量で洗浄槽内を清潔に保つことができる。
【発明の効果】
【００２０】
本発明によれば、複数のノズルから噴射する噴射時間を変えることができるため、食器が比較的少量の場合、一のノズル側に食器を収容することにより、一のノズルから噴射する噴射水により洗うことができ、噴射時間を短縮、及び噴射水量を低減できる。
【００２１】
また、本発明によれば、食器が比較的少量の場合、一のノズル側に食器を収容することにより、洗い過程及び／又はすすぎ過程において一のノズルから噴射する噴射水により食器を洗うことができ、噴射時間を短縮、及び噴射水量を低減できる。
【００２２】
また、本発明によれば、開閉弁が連通路を開いている時間を制御することにより一のノズルから噴射する噴射時間を、他のノズルから噴射する噴射時間よりも長くすることができ、構造を複雑にすることなく簡易に採用することができる。
【００２３】
また、本発明によれば、食器が比較的少量の場合、一のノズルにより長時間にわたって集中的に食器を洗うことができ、しかも、一のノズルによる洗いを途中で中断して他のノズルから短時間だけ噴射するため、少ない噴射水量で洗浄槽内を清潔に保つことができる。
【００２４】
また、本発明によれば、比較的少量の食器を回転自在の第１又は第２のノズル側に収容することにより、短い噴射時間及び少ない水量で食器を洗うことができ、しかも、第１のノズルから噴射する噴射水により飛び散った汚れ、洗剤等を、第２及び第３のノズルから噴射する噴射水により洗い流すことができ、少ない噴射水量で洗浄槽内を清潔に保つことができる。
【発明を実施するための最良の形態】
【００２５】
以下本発明をその実施の形態を示す図面に基づいて詳述する。図１は本発明に係る食器洗い機の構成を示す縦断側面図、図２は食器洗い機の構成を示す縦断正面図、図３は食器洗い機の構成を示す概略平面図である。
【００２６】
食器洗い機は、筐体１と、該筐体１内に配され、その前面に開口部２ａを有する洗浄槽２と、該洗浄槽２に収容され、食器Ａが載せられるあみ篭形状の食器受具３と、該食器受具３の下側に回転自在に配され、食器受具３に載せられた食器Ａに向けて水を噴射する回転可能な第１及び第２のノズル４，５と、洗浄槽２内の後側に固定され、食器受具３に載せられた食器Ａに向けて水を噴射する第３のノズル６と、第１及び第３のノズルに加圧水を供給するポンプ７と、該ポンプ及び各ノズルの連通路を開閉し、ポンプ７が発生した加圧水を順次第１〜第３のノズル４〜６に供給する開閉弁８と、開閉弁が連通路を開いている時間を制御し、第１のノズル４から噴射する噴射時間を、第２及び第３のノズル５，６から噴射する噴射時間よりも長くするための制御手段９と、洗浄槽２内を乾燥させるヒータ１０と、開口部２ａの上下を閉じ、上下方向へ回動自在に筐体１に枢支された上部扉１１及び下部扉１２とを備える。
【００２７】
洗浄槽２の底部には、蛇口等の水源に接続される給水弁１３と、該給水弁１３に給水通路を介して連通し、洗浄槽２内に開口する給水口１４と、該給水口１４と対角する位置に配され、給水口１４から給水された水を貯水する貯水部１５と、該貯水部１５に吸込ダクトを介して連通し、貯水部１５内の水を吸込み、加圧するポンプ７と、開閉弁８と、給水口１４及び貯水部１５間の流水路に配置されたヒータ１６と、該ヒータ１６の近傍に配されたサーミスタ１７とが設けられている。また、洗浄槽２内の後部には、洗浄槽２内の空気を吸込み、加圧する送風機１８と、該送風機１８が加圧した加圧空気を洗浄槽２内に吹き出す吹出口１９とが設けられている。また、洗浄槽２内で、貯水部１５の上側にはフィルタ２０が設けられており、ヒータ１６の上側にはヒータカバー２１が設けられている。
【００２８】
第１〜第３のノズル４，５，６はそれぞれ複数の噴射口４ａ，５ａ，６ａを有する。第１及び第２のノズル４，５は、開閉弁８の２つの出側ポートに連通し、洗浄槽２の内底に上方へ突設された２つの連通管に回転自在に嵌合される基管部の回転中心線と直交する位置に複数の噴射口４ａ，５ａが設けられており、洗浄槽２内の両側に並置され、洗浄槽２の上方に向けて噴射するように構成されている。第３のノズル６は開閉弁８の１つの出側ポートに連通し、洗浄槽２内の上下方向に配された連通部の上部から洗浄槽２の両側に配されており、噴射口６ａから前方に向けて噴射するように構成されている。
【００２９】
開閉弁８は、電動モータ２２の出力軸に連動連結された弁体を有しており、該弁体が一回転する間に第１〜第３のノズル４，５，６と各出側ポートとが連通する時間を異ならせ、第１〜第３のノズル４，５，６から噴射する噴射時間を異ならせるように構成されている。
【００３０】
マイクロプロセッサを用いてなる制御部９は、食器Ａが比較的多量の場合の基準洗い、及び食器Ａが比較的少量の場合のスポット洗いの制御と、スポット洗いの場合の軽い汚れ洗い、及び標準汚れ洗いを行う制御と、開閉弁８が連通路を開いている時間の制御とを行うもので、基準洗いを選択する第１のスイッチ（図示せず）と、スポット洗いを選択する第２のスイッチと、スポット洗いにおける軽い汚れ洗い又は標準汚れ洗いを選択する第３及び第４のスイッチと、第３又は第４のスイッチを選択したときに洗浄を開始するスタートスイッチとが接続されており、第１〜第４のスイッチのいずれかをオン操作した場合、洗い過程と、第１のすすぎ過程と、第２のすすぎ過程と、第３のすすぎ過程のそれぞれにおいて開閉弁８が連通路を開いているトータル時間Ｔだけ第１〜第３のノズル４，５，６から噴射することができるように構成されており、また、制御部９は洗い過程及びすすぎ過程の回数Ｎをカウントするようにしてある。制御部９の出力部にはポンプ７を駆動する電動モータ２５の駆動回路及び開閉弁８を駆動する電動モータ２２の駆動回路が接続されており、制御部９が出力するモータ電流指令値によりそれぞれの駆動回路を制御するように構成されている。
【００３１】
食器Ａが比較的多量の場合の標準洗いは、第１〜第３のノズル４，５，６から噴射する噴射時間、換言すれば第１〜第３のノズル４，５，６に連通する連通路を開閉弁８が順次開いている時間が等しくなるように電動モータ２２の駆動回路が制御される。
【００３２】
図４はスポット洗いのシーケンス図である。
第２のスイッチにより選択されるスポット洗いは、第３のスイッチにより軽い汚れ洗いを選択した場合、洗い過程と、第１のすすぎ過程と、第２のすすぎ過程と、第３のすすぎ過程とのそれぞれにおいて、第１のノズル４の噴射時間を３０秒、第２及び第３のノズル５，６の噴射時間をそれぞれ５秒とし、洗い過程では、第１のノズル４で３０秒間食器Ａを洗って食器Ａの汚れを大まかに落し、第２のノズル５から５秒間噴射して、第１のノズル４での洗いにより飛散った洗浄槽２内の汚れ、洗剤等を洗い流し、つづいて第３のノズル６で５秒間洗って第１のノズル４での洗浄により飛散った洗浄槽２内の汚れ、洗剤等を落した後、開閉弁８が連通路を開いているトータル時間Ｔになるまで第１のノズル４での噴射時間を連続させて、第１のノズル４側に収容された食器Ａの洗いを完了する。
【００３３】
第１のすすぎ過程では、第１のノズル４で３０秒間食器Ａをすすぎ洗いして食器Ａを大まかにすすぎ、第２のノズル５で５秒間すすぎ洗いして、第１のノズル４でのすすぎ洗いにより飛散った洗浄槽２内の汚れ、洗剤等を洗い流し、つづいて第３のノズル６で５秒間すすぎ洗いして、第１のノズル４でのすすぎ洗いにより飛散った洗浄槽２内の汚れ、洗剤等を洗い流した後、連通路を開いているトータル時間Ｔになるまで第１のノズル４での噴射時間を連続させて、第１のノズル４側に収容された食器Ａの一回目のすすぎ洗いを完了する。
【００３４】
第２のすすぎ過程では、第１のノズル４で３０秒間すすぎ洗いして食器Ａをすすぎ、第２のノズル５で５秒間すすぎ洗いして、第１のノズル４でのすすぎ洗いにより飛散った洗浄槽２内の微小の汚れを洗い流し、つづいて第３のノズル６で５秒間すすぎ洗いして、第１のノズル４でのすすぎ洗いにより飛散った洗浄槽２内の微小の汚れを洗い流した後、連通路を開いているトータル時間Ｔになるまで第１のノズル４での噴射時間を連続させて、第１のノズル４側に収容された食器Ａの二回目のすすぎ洗いを完了する。
【００３５】
第３のすすぎ過程では、第１のノズル４で３０秒間仕上げすすぎ洗いして食器Ａを仕上げすすぎ、第２のノズル５で５秒間仕上げすすぎ洗いして、第１のノズル４での仕上げすすぎ洗いにより飛散った部分を洗い流し、つづいて第３のノズル６で５秒間仕上げすすぎ洗いして、第１のノズル４での第３のすすぎ洗いにより飛散った部分を洗い流した後、連通路を開いているトータル時間Ｔになるまで第１のノズル４での噴射時間を連続させて、第１のノズル４側に収容された食器Ａの三回目のすすぎ洗いを完了する。
【００３６】
第４のスイッチにより標準汚れ洗いを選択した場合、洗い過程と、第１のすすぎ過程とのそれぞれにおいては、第１のノズル４の噴射時間を３０秒、第２及び第３のノズル５，６の噴射時間を５秒とし、トータル噴射時間Ｔ内で第１〜第３のノズル４，５，６での噴射を複数回繰り返すことにより第１のノズル４側に収容された食器Ａの洗い、及び食器Ａの一回目のすすぎ洗いを完了する。つづいて、第２のすすぎ過程と、第３のすすぎ過程とのそれぞれにおいては、第１のノズル４の噴射時間を３０秒、第２及び第３のノズル５，６の噴射時間を５秒とし、軽い汚れ洗いの場合と同様、第１のノズル４で３０秒間すすぎ洗い（三回目のすすぎ洗い）して食器Ａをすすぎ、第２のノズル５で５秒間すすぎ洗い（三回目のすすぎ洗い）して、第１のノズル４でのすすぎ洗いにより飛散った部分を洗い流し、つづいて第３のノズル６で５秒間すすぎ洗い（三回目のすすぎ洗い）して、第１のノズル４でのすすぎ洗いにより飛散った部分を洗い流した後、連通路を開いているトータル時間Ｔになるまで第１のノズル４での噴射時間を連続させて、第１のノズル４側に収容された食器Ａの二回目のすすぎ洗い、及び三回目のすすぎ洗いを完了する。
【００３７】
図５、図６はスポット洗いを行う場合のフローチャートである。
電源がオンされた後、制御部９が制御動作を開始する。第２のスイッチによりスポット洗いが選択されると、軽い汚れ洗い用の第３のスイッチがオンされているか否かを判定し（Ｓ１）、第３のスイッチがオンされている場合、スタートスイッチがオンされているか否かを判定しＳ２、スタートスイッチがオンされている場合、制御部９は洗い過程及びすすぎ過程の回数Ｎを初期化し（Ｓ３）、電動モータ２２により開閉弁８を回動させて第１のノズル４に連通する連通路を開とし（Ｓ４）、第１のノズル４から水又は洗剤を噴射し、タイマーが計時スタートする（Ｓ５）。第１のノズル４に連通する連通路を開閉弁８が３０秒間開いているか否かを判定し（Ｓ６）、３０秒間開いていない場合はＳ４に戻り、３０秒間開いている場合は、電動モータ２２により開閉弁８を回動させて第２のノズル５に連通する連通路を開とし（Ｓ７）、第２のノズル５から水又は洗剤を噴射し、タイマーが計時スタートする（Ｓ８）。第２のノズル５に連通する連通路を開閉弁８が５秒間開いているか否かを判定し（Ｓ９）、５秒間開いていない場合はＳ７に戻り、５秒間開いている場合は、電動モータ２２により開閉弁８を回動させて第３のノズル６に連通する連通路を開とし（Ｓ１０）、第３のノズル６から水又は洗剤を噴射し、タイマーが計時スタートする（Ｓ１１）。第３のノズル６に連通する連通路を開閉弁８が５秒間開いているか否かを判定し（Ｓ１２）、５秒間開いていない場合はＳ１０に戻り、５秒間開いている場合は、電動モータ２２により開閉弁８を回動させて第１のノズル４に連通する連通路を開とし（Ｓ１３）、第１のノズル４から水又は洗剤を噴射し、タイマーが計時スタートする（Ｓ１４）。開閉弁８が連通路を開いているトータル時間Ｔになったか否かを判定し（Ｓ１５）、トータル時間Ｔになっていない場合はＳ１３に戻り、トータル時間Ｔになっている場合、洗い過程及びすすぎ過程の回数Ｎが３回であるか否かを判定し（Ｓ１６）、回数Ｎが３回でない場合、第１〜第３のノズル４，５，６から順次噴射する過程を繰り返すようにＮ＝Ｎ＋１に設定し（Ｓ１７）、Ｓ４〜Ｓ１５を繰り返し、一回目のすすぎ洗いを行う。
【００３８】
一回目のすすぎ洗いの後、再び洗い過程及びすすぎ過程の回数Ｎが３回であるか否かを判定し（Ｓ１６）、回数Ｎが３回でない場合、第１〜第３のノズル４，５，６から順次噴射する過程を繰り返すように、Ｓ１７においてＮ＝Ｎ＋２に設定し、Ｓ４〜Ｓ１５を繰り返し、二回目のすすぎ洗いを行う。
【００３９】
二回目のすすぎ洗いの後、再び洗い過程及びすすぎ過程の回数Ｎが３回であるか否かを判定し（Ｓ１６）、回数Ｎが３回でない場合、第１〜第３のノズル４，５，６から順次噴射する過程を繰り返すように、Ｓ１７においてＮ＝Ｎ＋３に設定し、Ｓ４〜Ｓ１５を繰り返し、三回目のすすぎ洗いを行う。三回目のすすぎ洗いの後、再び洗い過程及びすすぎ過程の回数Ｎが３回であるか否かを判定すると（Ｓ１６）、回数Ｎが３回となり、噴射する過程の制御は終了する。
【００４０】
また、Ｓ１の判定の結果、軽い汚れ洗い用の第３のスイッチがオンされていない場合、標準汚れ洗い用の第４のスイッチがオンされているか否かを判定し（Ｓ１８）、第４のスイッチがオンされている場合、スタートスイッチがオンされているか否かを判定し（Ｓ１９）、スタートスイッチがオンされている場合、制御部９は洗い過程及びすすぎ過程の回数Ｎを初期化し（Ｓ２０）、電動モータ２２により開閉弁８を回動させて第１のノズル４に連通する連通路を開とし（Ｓ２１）、第１のノズル４から水又は洗剤を噴射し、タイマーが計時スタートする（Ｓ２２）。第１のノズル４に連通する連通路を開閉弁８が３０秒間開いているか否かを判定し（Ｓ２３）、３０秒間開いていない場合はＳ２１に戻り、３０秒間開いている場合は、電動モータ２２により開閉弁８を回動させて第２のノズル５に連通する連通路を開とし（Ｓ２４）、第２のノズル５から水を噴射し、タイマーが計時スタートする（Ｓ２５）。第２のノズル５に連通する連通路を開閉弁８が５秒間開いているか否かを判定し（Ｓ２６）、５秒間開いていない場合はＳ２４に戻り、５秒間開いている場合は、電動モータ２２により開閉弁８を回動させて第３のノズル６に連通する連通路を開とし（Ｓ２７）、第３のノズル６から水を噴射し、タイマーが計時スタートする（Ｓ２８）。第３のノズル６に連通する連通路を開閉弁８が５秒間開いているか否かを判定し（Ｓ２９）、５秒間開いていない場合はＳ２７に戻り、５秒間開いている場合は、Ｓ２１〜Ｓ２９の噴射する過程を繰り返すべく電動モータ２２により開閉弁８を回動させ、タイマーにより計時して第１〜第３のノズル４，５，６に連通する連通路の開を繰り返し（Ｓ３０）、所定の繰り返し回数が終了したか否かを判定し（Ｓ３１）、所定の繰り返し回数が終了している場合、Ｓ２１〜Ｓ３１の回数Ｎが１回であるか否かを判定し（Ｓ３２）、回数Ｎが１回でない場合、Ｓ２１〜Ｓ３１の噴射する過程を繰り返すようにＮ＝Ｎ＋１に設定し（Ｓ３３）、Ｓ２１〜Ｓ３１を繰り返し、一回目のすすぎ洗いを行う。
【００４１】
一回目のすすぎ洗いの後、再び洗い過程及びすすぎ過程の回数Ｎが１回であるか否かを判定する（Ｓ３２）、回数Ｎが１回となり、二回目のすすぎ洗いとなる。二回目のすすぎ洗いでは、電動モータ２２により開閉弁８を回動させて第１のノズル４に連通する連通路を開とし（Ｓ３４）、第１のノズル４から水を噴射し、タイマーが計時スタートする（Ｓ３５）。第１のノズル４に連通する連通路を開閉弁８が３０秒間開いているか否かを判定し（Ｓ３６）、３０秒間開いていない場合はＳ３４に戻り、３０秒間開いている場合は、電動モータ２２により開閉弁８を回動させて第２のノズル５に連通する連通路を開とし（Ｓ３７）、第２のノズル５から水を噴射し、タイマーが計時スタートする（Ｓ３８）。第２のノズル５に連通する連通路を開閉弁８が５秒間開いているか否かを判定し（Ｓ３９）、５秒間開いていない場合はＳ３７に戻り、５秒間開いている場合は、電動モータ２２により開閉弁８を回動させて第３のノズル６に連通する連通路を開とし（Ｓ４０）、第３のノズル６から水を噴射し、タイマーが計時スタートする（Ｓ４１）。第３のノズル６に連通する連通路を開閉弁８が５秒間開いているか否かを判定し（Ｓ４２）、５秒間開いていない場合はＳ４０に戻り、５秒間開いている場合は、電動モータ２２により開閉弁８を回動させて第１のノズル４に連通する連通路を開とし（Ｓ４３）、第１のノズル４から水を噴射し、タイマーが計時スタートする（Ｓ４４）。開閉弁８が連通路を開いているトータル時間Ｔになったか否かを判定し（Ｓ４５）、トータル時間Ｔになっていない場合はＳ４３に戻り、トータル時間Ｔになっている場合、洗い過程及びすすぎ過程の回数Ｎが１回であるか否かを判定し（Ｓ４６）、回数Ｎが１回でない場合、Ｓ３４〜Ｓ４５の噴射する過程を繰り返すようにＮ＝Ｎ＋１に設定し（Ｓ４７）、Ｓ３４〜Ｓ４５を繰り返し、二回目のすすぎ洗いを行う。
【００４２】
二回目のすすぎ洗いの後、再び洗い過程及びすすぎ過程の回数Ｎが１回であるか否かを判定すると（Ｓ４６）、回数Ｎが１回となり、噴射する過程の制御は終了する。
【００４３】
尚、以上説明した実施の形態では、開閉弁８が連通路を開いている時間を制御することにより、第１のノズル４から噴射する噴射時間を、第２及び第３のノズル５，６から噴射する噴射時間よりも長くなるように制御する制御部９として、第２及び第３のノズル５，６からそれぞれ５秒間噴射するように構成したが、その他、第２及び第３のノズル５，６から噴射する時間は５秒を超える時間、又は５秒未満であってもよいし、また、０秒であってもよく、その時間は特に制限されない。
【００４４】
また、以上説明した実施の形態では、開閉弁８が連通路を開いている時間を制御することにより、回転可能な第１のノズル４から噴射する噴射時間を、第２及び第３のノズル５，６から噴射する噴射時間よりも長くなるような構成としたが、その他、回転可能な第２のノズル５から噴射する噴射時間を、第１及び第３のノズル４，６から噴射する噴射時間よりも長くなるような構成としてもよい。
【００４５】
また、第１〜第３のノズル４，５，６を有する構成としたが、その他、回転可能な第１及び第２のノズル４，５を有する構成としてもよいし、また、回転可能な第１又は第２のノズル４，５と第３のノズル６とを有する構成としてもよい。
【図面の簡単な説明】
【００４６】
【図１】本発明に係る食器洗い機の構成を示す縦断側面図である。
【図２】本発明に係る食器洗い機の構成を示す縦断正面図である。
【図３】本発明に係る食器洗い機の構成を示す概略平面図である。
【図４】本発明に係る食器洗い機のスポット洗いのシーケンス図である。
【図５】本発明に係る食器洗い機のスポット洗いを行う場合のフローチャートである。
【図６】本発明に係る食器洗い機のスポット洗いを行う場合のフローチャートである。
【符号の説明】
【００４７】
２    洗浄槽
４，５，６  ノズル
７    ポンプ
８    開閉弁
９    制御部
【図１】
2006061412.tif 000003
【図２】
2006061412.tif 000004
【図３】
2006061412.tif 000005
【図４】
2006061412.tif 000006
【図５】
2006061412.tif 000007
【図６】
2006061412.tif 000008